(57)【特許請求の範囲】
【請求項１】
外装板、内装板、及び、外装板と内装板の周縁部を接続する枠材によって形成される空間内に発泡樹脂を充填してなる断熱パネルと、
前記２つの断熱パネルにおける枠材の端面相互を密着させた状態で各枠材に沿って配置される梁材とを有し、
前記梁材の固定板部に形成されたボルト孔にボルトを挿通するとともに、前記外装板の内側に固定されたナット部に対して締結固定し、各断熱パネル間の目地を調節する断熱パネルの目地調節装置において、
前記固定板部の幅と略同一幅を有する平板部と、その平板部に形成され前記枠材に沿って傾斜した長孔とを有する目地調節部材と、
前記梁材の固定板部の両端縁から曲率を有して連続形成されるとともに、前記目地調節部材の平板部を前記梁材の固定板部にまでは落ち込ませず途中で保持する立ち上がり部とを備え、
前記各断熱パネルの枠材相互が対向した状態で前記目地調節部材における平板部の長孔及び前記梁材の固定板部における固定板部のボルト孔にボルトを挿通するとともに、ボルトを前記ナット部に位置決めし、前記各立ち上がり部間で枠材に沿って平板部を移動させることにより長孔の傾斜に対応して各断熱パネル間の目地を調節することを特徴とする断熱パネルの目地調節装置。
【請求項２】
前記枠材に最も近接する長孔の一端部の側における前記平板部の一側端には、上方に折曲された加圧部が設けられていることを特徴とする請求項１記載の断熱パネルの目地調節装置。
【請求項３】
前記加圧部には、前記各立ち上がり部の内、前記枠材から離間する側の一方の立ち上がり部に対応して切欠部が形成されていることを特徴とする請求項２記載の断熱パネルの目地調節装置。
【請求項４】
前記長孔の一端部と枠材の近接する他方の立ち上がり部との距離は、前記外装板の内側に固定されたナット部と他方の立ち上がり部の距離と略一致することを特徴とする請求項１乃至請求項３のいずれかに記載の断熱パネルの目地調節装置。
【請求項５】
前記長孔の枠材に最も近接する一端部と前記固定板部の枠材に近接する立ち上がり部との距離は、前記ナット部と外装板の枠材側周端縁部との距離よりも小さいことを特徴とする請求項１乃至請求項３のいずれかに記載の断熱パネルの目地調節装置。
【請求項６】
前記長孔の枠材から最も離間する他端部と前記固定板部の枠材に近接する立ち上がり部との距離は、前記ナット部と外装板の枠材側周端縁部との距離よりも大きいことを特徴とする請求項５に記載の断熱パネルの目地調節装置。
【請求項７】
前記長孔の内側には段付き加工が施されていることを特徴とする請求項１乃至請求項６のいずれかに記載の断熱パネルの目地調節装置。
【発明の詳細な説明】
【０００１】
【発明の属する技術分野】
本発明は、複数の断熱パネルを連結してプレハブ冷蔵庫等を組み立てる際に各断熱パネル間の目地を調節する断熱パネルの目地調節装置に関し、特に、断熱パネル連結の際にパネル間の目地調節を容易に行うことができる断熱パネルの目地調節装置に関するものである。
【０００２】
【従来の技術】
従来より、プレハブ冷蔵庫等においては、断熱パネルの周縁部に設けられる枠材に凹凸状の接続部が形成され、凹部と他方の断熱パネルの枠材における凸部とを突き合わせ、各枠材に沿って配置される梁材に固定することにより、２つの断熱パネルを密着して連結して、天井パネルを構成している。
例えば、特願平７ー２７１５９６号公報に記載されているプレハブ庫のネジ板付天井パネルでは、外装鋼板と内装鋼板とこれらの周縁部を接続する枠材によって形成される空間に発泡樹脂を注入充填して構成される２つの断熱パネルを各枠材間の凹凸嵌合により接続し、同接続部を梁材によって補強するように構成される。ここに、各断熱パネルにおいて、外装鋼板に形成された通孔の内側には段付ナット部が固着されており、各断熱パネルは、枠材に沿って配置された梁材の固定板部に形成されたボルト孔からボルトを挿通するとともに、段付ナット部に対して締結固定することにより相互に連結され、且つ、梁材に対して固定される。
【０００３】
また、実公昭６３−１５７４６号公報には、２つの各断熱パネルの端面に設けられた凹凸状の嵌合部材を相互に密着した状態で、補強梁取付金具の湾曲状延伸部が補強梁の板状部の両端に形成されたくさび受壁を乗り越えるように、且つ、補強梁取付金具のくさび受壁と補強梁の板状部におけるくさび受壁との間に間隙が形成されるように、補強梁取付金具を各断熱パネルの一面にてボルトとナットを介して固定し、補強梁取付金具のくさび受壁と板状部のくさび受壁との間に形成される間隙にくさびを打ち込むように構成された組立式断熱庫におけるパネル目地部への構造物取付装置が記載されている。かかる構造物取付装置によれば、補強梁取付金具のくさび受壁と補強梁における板状部のくさび受壁との間の間隙に打ち込まれたくさびの作用に基づき、各断熱パネルの嵌合部材は相互に引き寄せられることとなり、相互に隣接する各断熱パネルを強固に接続することが可能となる。
【０００４】
【発明が解決しようとする課題】
しかしながら、特願平７ー２７１５９６号公報に記載されたプレハブ庫のネジ板付天井パネルでは、梁材の固定板部に形成されたボルト孔からボルトを挿通するとともに、外装鋼板の内側に固着された段付ナット部に対して締結固定するだけで各断熱パネルと梁材とを相互に固定しており、また、かかる固定状態で各断熱パネルの枠材相互間に隙間を発生させることなく密着させる必要がある。
このような構成においては、梁材における固定板部に形成されるボルト孔の形成位置と外装鋼板における通孔の形成位置とを、正確に合致させなければならないことから、ボルト孔及び通孔の形成が困難なものとなる。
また、ボルト孔と通孔との位置合わせの容易性を勘案してボルト孔開口径をボルトの径に比して若干大きく形成するのが一般的であるが、前記のように各枠材間で隙間の発生を防止するためにはボルト孔の開口径を一定以上に大きく形成することができず、これより梁材の固定板部に形成されるボルト孔の開口径は小さくせざるを得ないものである。このようにボルト孔を小さく形成せざるを得ないことから、各断熱パネルを梁材に仮固定するに際して、ボルト孔と通孔との位置合わせが極めて困難なものとなる。
更に、特願平７ー２７１５９６号公報のネジ板付天井パネルでは、各断熱パネル間の目地調節するについて特別の構成は何ら設けられておらず、断熱パネルの枠材同士を外力により密着させた状態を保持しつつ梁材の固定板部におけるボルト孔と外装鋼板の通孔とにボルトを挿通し締結固定する作業が必要となり、これより各断熱パネル間の目地調節に時間がかかってしまい、また、目地を確実に調節することができないものである。
また、ボルトの着脱を行う必要性を勘案して、梁材の固定板部に形成されるボルト孔の開口径は一定の範囲で余裕をもってボルト径よりも大きく形成されるが、かかる場合には、ボルト孔の開口径に余裕が設けられることに起因して梁材や断熱パネルに衝撃が加えられた際に、断熱パネル間の目地が拡大してしまう虞がある。
【０００５】
また、実公昭６３−１５７４６号公報に記載されたパネル目地部への構造物取付装置では、断熱パネル間の目地を調節する際に、補強梁取付金具を各断熱パネルの一面にてボルトとナットを介して固定し、補強梁取付金具のくさび受壁と板状部のくさび受壁との間に形成される間隙にくさびが打ち込まれるが、補強梁の板状部に形成されるくさび受壁は、補強梁取付金具のくさび受壁よりも長く形成されており、くさびを打ち込む際には、ハンマ等が板状部のくさび受壁に当たらないようにくさびのみを打ち込む必要がある。かかるくさびの打ち込み作業は極めて煩雑なものであり、目地調節の作業効率は極めて低くなってしまう。
更に、各断熱パネル間の目地を調節するにつき、補強梁、補強梁取付金具及びくさびが必要であり、また、補強梁取付金具は複雑な構造を有しており、これより形状が複雑な部品点数が多くなって製造コストが高くなってしまう。
【０００６】
本発明は前記従来技術の問題点を解消するためになされたものであり、断熱パネルの枠材に沿って傾斜した長孔が形成された平板部を有する目地調節部材を使用することにより、梁材の固定板部に形成されるボルト孔の開口径を大きくしてボルト孔に挿通されるボルトと外装板のナット部との位置合わせを容易に行うことが可能であり、また、平板部の長孔と梁材の固定板部に形成されたボルト孔とにボルトを挿通して位置決めした状態で固定板部の両端縁の立ち上がり部間で目地調節部材を移動させる簡単な作業を行うだけで短時間で且つ確実に断熱パネル間の目地を調節することが可能な断熱パネルの目地調節装置を提供することを目的とする。
【０００７】
【課題を解決するための手段】
前記目的を達成するために、請求項１に係る断熱パネルの目地調節装置は、外装板、内装板、及び、外装板と内装板の周縁部を接続する枠材によって形成される空間内に発泡樹脂を充填してなる断熱パネルと、前記２つの断熱パネルにおける枠材の端面相互を密着させた状態で各枠材に沿って配置される梁材とを有し、前記梁材の固定板部に形成されたボルト孔にボルトを挿通するとともに、前記外装板の内側に固定されたナット部に対して締結固定し、各断熱パネル間の目地を調節する断熱パネルの目地調節装置において、前記固定板部の幅と略同一幅を有する平板部と、その平板部に形成され前記枠材に沿って傾斜した長孔とを有する目地調節部材と、前記梁材の固定板部の両端縁から曲率を有して連続形成されるとともに、前記目地調節部材の平板部を前記梁材の固定板部にまでは落ち込ませず途中で保持する立ち上がり部とを備え、前記各断熱パネルの枠材相互が対向した状態で前記目地調節部材における平板部の長孔及び前記梁材の固定板部における固定板部のボルト孔にボルトを挿通するとともに、ボルトを前記ナット部に位置決めし、前記各立ち上がり部間で枠材に沿って平板部を移動させることにより長孔の傾斜に対応して各断熱パネル間の目地を調節することを特徴とする。
【０００８】
このような特徴を有する請求項１に係る断熱パネルの目地調節装置では、各断熱パネルの枠材相互が対向した状態で、前記目地調節部材における平板部の長孔及び前記梁材の固定板部における固定板部のボルト孔にボルトを挿通してボルトを前記ナット部に位置決めし、各立ち上がり部間で枠材に沿って平板部を移動させることにより長孔の傾斜に対応して各断熱パネル間の目地が調節される。
このとき、目地調節部材の平板部は梁材の固定板部の幅と略同一幅を有しており、固定板部の両端縁に形成された各立ち上がり部の間で枠材に沿って目地調節部材の平板部を移動させると、ナット部に位置決めされたボルトは平板部の移動に基づき長孔の傾斜に沿って移動することとなり、これにより各断熱パネルの枠材の端面は相互に近接して密着される。この結果、各断熱パネル間の目地が調節されるものである。
このように、平板部の長孔と梁材の固定板部に形成されたボルト孔とにボルトを挿通して位置決めした状態で固定板部の両端縁の立ち上がり部間で目地調節部材を移動させる簡単な作業を行うだけで短時間で且つ確実に断熱パネル間の目地を調節することが可能となる。
また、梁材の固定板部と断熱パネルとの位置関係は、目地調節部材の平板部を枠材に沿って移動させることにより調節されるものであることから、当初において固定板部のボルト孔と外装板のナット部とを厳格に位置決めする必要はない。従って、固定板部に形成されるボルト孔の開口径を大きくすることが可能となり、このようにボルト孔の開口径を大きく形成してボルト孔に挿通されるボルトと外装板のナット部との位置合わせを容易に行うことができるものである。
更に、目地調節部材の平板部の幅は、梁材の固定板部の幅と略同一幅に形成されていることから、ボルトをナット部に締結固定した後に断熱パネルや梁材に衝撃が加えられたとしても、目地調節部材が各立ち上がり部間で移動されることはない。従って、目地調節部材を介して一旦調節された断熱パネル間の目地が拡大されることを確実に防止することが可能となる。
そして、前記目地調節部材は、梁材の固定板部の幅と略同一幅を有しており、固定板部の両端縁に形成された各立ち上がり部の間にある。そして、前記立ち上がり部は、前記梁材の固定板部の両端縁から曲率を有して連続形成され、前記目地調節部材の平板部を、前記梁材の固定板部にまでは落ち込ませず途中で保持する。即ち、前記目地調節部材の平板部は、ボルトを固定したとき、立ち上がり部の弾性力によってスプリングワッシャの役割を果たすこととなり、ボルトの緩み止めの効果を発揮する。
【０００９】
また、請求項２に係る断熱パネルの目地調節装置は、請求項１記載の断熱パネルの目地調節装置において、前記枠材に最も近接する長孔の一端部の側における前記平板部の一側端には、上方に折曲された加圧部が設けられていることを特徴とする。
【００１０】
このような特徴を有する請求項２に係る目地調節装置では、請求項１記載の断熱パネルの目地調節装置において、目地調節部材の平板部の一側端に上方に折曲された加圧部が形成されており、かかる加圧部をハンマ等を介して叩打することにより平板部を各立ち上がり部間で枠材に沿って移動させることが可能となる。このとき、加圧部は平板部の一側端で、平板部の幅全体に渡って大きく形成されており、また、平板部は梁材の固定板部の各立ち上がり部間に配置されてハンマ等による叩打を阻害するものは存在しないので、ハンマ等により加圧部を確実に叩打して平板部を簡単に移動させることが可能となる。また、加圧部は枠材に最も近接する長孔の一端部における平板部の一側端に形成されていることから、加圧部を叩打することによりボルトが長孔の傾斜に沿って梁材側に向かって移動し、これに基づきナット部を介してボルトが位置決めされている断熱パネルが梁材側に向かって移動する。これにより各断熱パネル間の目地が調節される。更に、平板部に形成された加圧部は、その折曲部においてリブ効果を発現し、これにより平板部の強度を向上することが可能となる。
【００１１】
また、請求項３に係る断熱パネルの目地調節装置は、請求項２記載の断熱パネルの目地調節装置において、前記加圧部には、前記各立ち上がり部の内、前記枠材から離間する側の一方の立ち上がり部に対応して切欠部が形成されていることを特徴とする。
【００１２】
このような特徴を有する請求項３に係る断熱パネルの目地調節装置では、請求項２記載の断熱パネルの目地調節装置において、枠材から離間する側の一方の立ち上がり部、即ち、外側の立ち上がり部に対応して、加圧部に切欠部が形成されているので、外側の立ち上がり部の加工状態に左右されることなく、例えば、外側の立ち上がり部が枠材側に曲がっている場合においても、平板部の移動が外側の立ち上がり部によって阻害されることはない。これにより、固定板部の各立ち上がり部間で平板部を常時スムーズに移動させることが可能となる。
【００１３】
また、請求項４に係る断熱パネルの目地調節装置は、請求項１乃至請求項３のいずれかに記載の断熱パネルの目地調節装置において、前記長孔の一端部と枠材の近接する他方の立ち上がり部との距離は、前記外装板の内側に固定されたナット部と他方の立ち上がり部の距離と略一致することを特徴とする。
【００１４】
このような特徴を有する請求項４に係る断熱パネルの目地調節装置では、請求項１乃至請求項３のいずれかに記載の断熱パネルの目地調節装置において、梁材に最も近接する長孔の一端部と他方の立ち上がり部との距離が、外装板の内側に固定されたナット部と他方の立ち上がり部との距離と略一致していることから、平板部を移動させて長孔に沿ってボルトを長孔の一端部まで移動させた時点で各断熱パネルの枠材が相互に密着した状態になる。これにより、断熱パネル間の目地調節が完了したことを目視にて確認できる。従って、目視という簡単な確認方法により確実に目地調節の完了を確認でき、作業を容易に行うことができる。
【００１５】
また、請求項５に係る断熱パネルの目地調節装置は、請求項１乃至請求項３のいずれかに記載の断熱パネルの目地調節装置において、前記長孔の枠材に最も近接する一端部と前記固定板部の枠材に近接する立ち上がり部との距離は、前記ナット部と外装板の枠材側周端縁部との距離よりも小さいことを特徴とする。
【００１６】
このような特徴を有する請求項５に係る断熱パネルの目地調節装置では、請求項１乃至請求項３のいずれかに記載の断熱パネルの目地調節装置において、前記長孔の枠材に最も近接する一端部と前記固定板部の枠材に近接する立ち上がり部との距離は、前記ナット部と外装板の枠材側周端縁部との距離よりも小さくなるように形成されている。
これにより、断熱パネルの枠材が、固定板部の枠材に近接する立ち上がり部よりも他方の断熱パネルに近づく方向側にズレた位置にある場合でも、このズレ量が、ナット部と外装板の枠材側周端縁部との距離から、目地調節部材の長孔の枠材に最も近接する一端部と前記固定板部の枠材に近接する立ち上がり部との距離を引いた寸法以下の場合には、目地調節部材の長孔とナット部とを位置決めして、ボルトを挿通することができるため、平板部を移動させて長孔に沿ってボルトを移動させて各断熱パネルの枠材を相互に密着した状態にできる。また、梁材を断熱パネルの枠材側に移動させることなく目地調節部材の長孔とナット部とを位置決めできるため、各断熱パネルの目地を迅速且つ容易に調節することができる。
【００１７】
また、請求項６に係る断熱パネルの目地調節装置は、請求項５に記載の断熱パネルの目地調節装置において、前記長孔の枠材から最も離間する他端部と前記固定板部の枠材に近接する立ち上がり部との距離は、前記ナット部と外装板の枠材側周端縁部との距離よりも大きいことを特徴とする。
【００１８】
このような特徴を有する請求項６に係る断熱パネルの目地調節装置では、請求項５に記載の断熱パネルの目地調節装置において、前記長孔の枠材から最も離間する他端部と前記固定板部の枠材に近接する立ち上がり部との距離は、前記ナット部と外装板の枠材側周端縁部との距離よりも大きなるように形成されている。
これにより、断熱パネルの枠材が、固定板部の枠材に近接する立ち上がり部よりも他方の断熱パネルから離れる方向側にズレた位置にある場合でも、このズレ量が、目地調節部材の長孔の枠材から最も離間する他端部と前記固定板部の枠材に近接する立ち上がり部との距離から、ナット部と外装板の枠材側周端縁部との距離を引いた寸法以下の場合には、ボルトを挿通することができるため、平板部を移動させて長孔に沿ってボルトを移動させて各断熱パネルの枠材を相互に密着した状態にできる。従って、梁材を断熱パネルの枠材側に移動させることなく目地調節部材の長孔とナット部とを位置決めできるため、各断熱パネルの目地を迅速且つ容易に調節することができる。
【００１９】
更に、請求項７に係る断熱パネルの目地調節装置は、請求項１乃至請求項６のいずれかに記載の断熱パネルの目地調節装置において、前記長孔の内側には段付き加工が施されていることを特徴とする。
【００２０】
このような特徴を有する請求項７に係る断熱パネルの目地調節装置では、請求項１乃至請求項６のいずれかに記載の断熱パネルの目地調節装置において、目地調節部材の平板部に形成される長孔の内側には段付き加工が施されている。
これにより、梁材における固定板部両端の各立ち上がり部間で平板部を移動させる際に、ボルトを長孔内で段階的に移動させることが可能となり、各断熱パネル間の目地調節を全ての段階において調節位置を逆戻りさせることなく確実に行うことができる。
【００２１】
【発明の実施の形態】
以下、本発明の断熱パネルの目地調節装置について具体化した実施形態を図１乃至図９に基づき図面を参照しつつ詳細に説明する。図１は本実施形態の断熱パネルの目地調節装置を使用したプレハブ冷蔵庫の斜視図である。図２はプレハブ冷蔵庫の天井を構成する断熱パネルの連結部分を拡大した断面図である。図３はかかる連結部分を上から見た平面図であり、便宜のため梁材上部の形状は省略している。図４は断熱パネルの目地調節に有効な目地調節部材の斜視図である。図５は断熱パネルを連結し、目地調節をする手順を表す平面図および断面図である。図６は連続打ち抜き加工によって長孔側面に段付けを施した目地調節部材の斜視図であり、本実施形態の第１変形例である。図７は加圧部の一部に切り欠き部を設けた目地調節部材の斜視図であり、本実施形態の第２変形例である。図８は図７の目地調節部材を断熱パネルの連結部分に設置した状態を表す拡大した断面図である。図９は図７に示す目地調節部材の加圧部の切り欠き部に加え、平板部の端に面取り部を設けた目地調節部材の斜視図であり、本実施形態の第３変形例である。
【００２２】
図１において、断熱パネルの目地調節装置を使用したプレハブ冷蔵庫２１は、断熱パネル２２が複数枚連結され、前面には断熱扉２３が開閉自在に取り付けられている。図１における断熱パネルの目地調節装置を使用したプレハブ冷蔵庫２１の天井は２枚の断熱パネル２２により構成されており、図示しない梁材１に固定されることにより断熱パネルの枠材１４、１５を密着して連結させることにより、断熱性を保持している。
尚、図１では、天井が２枚の断熱パネル２２で構成される場合について図示したが、天井を構成する断熱パネルを支持するための梁材１は、更に大型のプレハブ冷蔵庫において特に需要が多い。
【００２３】
図２において、断熱パネル２２の表面は薄いステンレス板や鋼板等の内装板４及び外装板８で形成されている。この一対の内装板４及び外装板８間の空間の周縁端部は、硬質塩化ビニル製等の樹脂成型品で凸部あるいは凹部を形成した枠材１４、１５で閉塞されている。そして、内装板４及び外装板８、枠材１４、１５で閉塞された空間には発泡樹脂１２が充填されている。また、ネジ板５は、短冊状に切断され中央に円形に打ち出し部を有して両側を屈曲形成された厚板鋼板と、打ち出し部の背面に溶接したナットによりナット部５ａとから構成されている。そして、外装板８に設けた通孔８ａに内方から嵌合されて固定されるものであり、ネジ板５の掛け止め部により枠材１４、１５の内側凹凸部に係合されている。
また、断熱パネル２２を固定する梁材１は、一対の鋼材１０をボルト２とナット３によって一体的に連結したものであり、各鋼材１０はその固定板部１０ｃ（図３参照）の両端縁から連続形成された立ち上がり部１０ａ、１０ｂが所定の曲率を伴って略直角に立ち上がったいわゆるリップ溝形鋼１０を背合わせに連結したものである。梁材１の固定板部１０ｃにはボルト孔１６が設けられており、固定の際、このボルト孔１６を介して梁材１と断熱パネル２２に設けられた通孔８ａ内のナット部５ａにボルト６を固定することにより、梁材１とパネル２２を連結固定する。ボルト６固定の際には、梁材１とボルト６との間に後述の目地調節部材９と平ワッシャ７が挿入される。目地調節部材９は、梁材１を構成するリップ溝形鋼１０の固定板部１０ｃの両端に立設する立ち上がり部１０ａ、１０ｂに填め込まれ設置されるが、リップ溝形鋼１０の角が曲率を有しているため、梁材１の固定板部１０ｃにまでは落ち込まず途中で保持される。この構成によりボルト６を固定したとき、リップ溝形鋼１０の立ち上がり部１０ａ、１０ｂの弾性力がスプリングワッシャの役割を果たすこととなり、ボルト６の緩み止めの効果を有する。また、図３に示すように、梁材１のボルト孔１６はボルト６が目地調節部材９の傾斜した長孔９ｂ上どの位置に来ても支障がないように、長孔９ｂの傾斜幅より大きく開口されている。尚、図２及び図３においては、梁材１の中心に対して左側に目地調節部材９を取り付けた状態を示し、右側は目地調節部材９が取り付けられていない状態を示している。
【００２４】
図４において目地調節部材９を示す。目地調節部材９の平板部９ｃ上には、傾斜した長孔９ｂが開口されており、その幅はボルト６が貫通できる幅に設定されている。傾斜幅は、梁材１のボルト孔１６の開口径とほぼ同じに設定されており、長孔９ｂ全域に渡ってボルト６を移動させることにより目地調節をスムーズに行えるようになっている。また、目地調節部材９を梁材１に設置した時の長孔９ｂの梁材１中央からの最近接距離は、断熱パネル２２が連結された際の梁材１中央から断熱パネル２２のナット部５ａまでの距離と同一に設定されている。目地調節部材９の梁材１に沿った移動方向の一端には、略直角に立ち上がるように折り曲げられた加圧部９ａが構成されている。この加圧部９ａは後述する目地調節の際に、目地調節部材９を移動させるための力点になるとともに、この折曲げ部分がリブ効果を有し、目地調節部材９の強度を保つ役割を有するものである。
【００２５】
次に、図５を参照して断熱パネル２２の梁材１への仮止め、および目地調節方法を説明する。図５左が梁材１と断熱パネル２２との仮止め状態を、図５中央が断熱パネル２２を引き寄せながら目地調節を行っている状態を、図５右が断熱パネル２２が引き寄せられて目地調節が完了した状態を表す。まず、図５左の梁材１と断熱パネル２２との仮止めの際には、両断熱パネル２２間に隙間が空いた状態で梁材１と断熱パネル２２をボルト６にて仮止めをする。仮止めの際には断熱パネル２２間の目地調節は気にする必要がなく、梁材１に設けられたボルト孔１６の開口も大きく形成されているので、梁材１のボルト孔１６とパネル２２内のナット部５ａが嵌合された通孔８ａとの位置合わせは容易であり、更に、目地調節部材９の取付も目地調節部材９を梁材１の立ち上がり部１０ａ、１０ｂに沿って移動させれば、長孔９ｂとの位置合わせも容易に行うことができる。仮止めした状態では、梁材１のボルト孔１６の開口径の長さだけ梁材１に対して断熱パネル２２を移動させることができ、目地調節のための余裕となる。
【００２６】
次に、図５中央では、断熱パネル２２を断熱パネル２２間に隙間を空けて梁材１に仮止めした状態で、目地調節部材９の加圧部９ａをハンマー等で打撃する。目地調節部材９の長孔９ｂを貫いて仮止めされているボルト６を長孔９ｂに沿って梁材１の中央側にシフトさせていくことにより、断熱パネル２２同士を互いに引き寄せながら目地調節を行うものである。左右一対の目地調節部材９を均等に打撃しながら、それぞれの断熱パネル２２のシフト量を調整することができるので、きめ細かい目地調節が可能となる。
左右の断熱パネル２２の目地位置を確認しながら加圧部９ａを打撃していき、最終的に図５右のように長孔９ｂの梁材１からの最近接位置までボルト６が移動した時点で、断熱パネル２２同士は密着して連結された状態となり目地調節が完了する。長孔９ｂ内のボルト６終端位置が断熱パネル２２の連結位置に一致しているので、目視により簡単に終端位置が確認でき、目地調節作業を容易に行うことができる。ボルト６が長孔９ｂの終端位置に移動した後に本止め（ボルト６とナット部５ａとの締結固定）を行うことにより、断熱パネル２２の連結は完了する。
【００２７】
図６は本実施形態の第１変形例である。連続打ち抜き加工によって目地調節部材９１を開口して長孔９１ｂを形成する。その際、長孔９１ｂ側面には段付けが形成されるので、断熱パネル２２の目地調節中にボルト６の位置を保持することができる。目地調節中のボルト６の逆戻り等の位置ズレを防止することができ、段付けの各ステップ毎に確実に断熱パネル２２の引き寄せが可能となる。また、断熱パネル２２連結後にもボルト６が逆戻りすることはなくなるので、時間の経過や外部からの衝撃により目地が緩むことも防止できる。
【００２８】
図７は本実施形態の第２変形例であり、加圧部９２ａの一部に切り欠き部９２ｃを設けた目地調節部材９２である。図８においてこの目地調節部材９２を梁材１に設置する際、切り欠き部９２ｃはリップ溝形鋼１０の立ち上がり部１０ａ（図８中、外側の立ち上がり部）に隣接するように配置する。リップ溝形鋼１０の端部は略直角に屈曲されてはいるものの、精度よく角度付けがなされているわけではなく、図８のように梁材１の中央部に向かって内側に屈曲してしまうこともある。この場合にも目地調節部材９２には切り欠き部９２ｃが設けてあるため、内側に屈曲したリップ溝形鋼１０の立ち上がり部１０ａとは干渉することはなく、目地調節時の目地調節部材９２の移動に支障が生ずることはない。
尚、図８中、他の構成要素については、図２の実施形態と同一であるので、ここでの説明は省略する。
【００２９】
図９は本実施形態の第３変形例であり、目地調節部材９３には切り欠き部９３ｃに加え平板部９３ｅの端に面取り部９３ｄを設けた構造となっている。目地調節の際、目地調節部材９３の移動が滑らかに行えるものである。
【００３０】
以上詳細に説明したとおり、本実施形態に係る断熱パネルの目地調節装置を使用したプレハブ冷蔵庫２１では、断熱パネル２２を使用して天井パネルを構成するに際し、傾斜した長孔９ｂを有する目地調節部材９を介して、リップ溝形鋼１０を背合わせに結合した梁材１に断熱パネル２２をボルト６固定して連結する。ボルト６の仮止め状態にて目地調節部材９を梁材１に沿って移動して長孔９ｂ内でボルト６を移動させることにより、断熱パネル２２同士を徐々に引き寄せて目地調節をすることができる。梁材１と断熱パネル２２との連結を目地調節部材９により行うので、梁材１のボルト孔１６は大きくすることができ、断熱パネル２２の通孔８ａとの位置合わせが容易となる。ボルト６固定後は、梁材１端部の立ち上がり部１０ａ，１０ｂの弾性力により目地調節部材９がスプリングワッシャの役割を果たすことになり、ボルト６の緩み止めの効果も有する。また、梁材１内側の立ち上がり部１０ｂから目地調節部材９の長孔９ｂ内側端部までの距離を断熱パネル２２枠材１４、１５からナット部５ａまでの距離と略一致させておけば、各断熱パネル２２間の目地調節完了時に、ボルト６が長孔９ｂ内側端部に位置することとなり、目地調節の完了を目視にて簡単に確認できる。更に、加圧部９ａの折り曲げ部分がリブ効果を有し、目地調節部材９の強度を保つことができ、目地調節時のボルト６の位置ズレ防止構造を持った目地調節部材９１、梁材１との干渉防止効果を有する目地調節部材９２、９３等も利用できる。
【００３１】
次に、本発明の断熱パネルの目地調節装置について、プレハブ冷蔵庫の組み立てに於いて具体化した他の実施形態を図１０乃至図１５に基づき図面を参照しつつ詳細に説明する。先ず、プレハブ冷蔵庫の概略構成について図１０に基づいて説明する。図１０は他の実施形態に係る断熱パネルの目地調節装置を使用したプレハブ冷蔵庫の斜視図である。
図１０に示すように、プレハブ冷蔵庫１０１は、断熱パネル１０２を複数枚連結することにより構成され、そして、プレハブ冷蔵庫１０１の前面には断熱扉１０３が開閉自在に取り付けられている。また、プレハブ冷蔵庫１０１の天井部を構成する４枚の各前側天井パネル１０２Ａ、１０２Ａ、１０２Ａ、１０２Ａと、４枚の各後側天井パネル１０２Ｂ、１０２Ｂ、１０２Ｂ、１０２Ｂとは、後述の目地調節装置１０４を介して各々前後方向に連結されている（図１１、図１４参照）。
【００３２】
次に、目地調節装置１０４の概略構成について図１１乃至図１３に基づいて説明する。図１１は他の実施形態に係る断熱パネルの目地調節装置１０４の連結部分を示す要部拡大側断面図である。図１２は他の実施形態に係る断熱パネルの目地調節装置１０４の連結部分を示す要部拡大水平断面図である。図１３は他の実施形態に係る断熱パネルの目地調節装置１０４を構成する目地調節部材を示す図で、（Ａ）は平面図、（Ｂ）は正面図である。尚、図１１及び図１２においては、梁材１２０の中心に対して左側に目地調節部材１２８を取り付けた状態を示し、右側は目地調節部材１２８が取り付けられていない状態を示している。
【００３３】
図１１に示すように、前側天井パネル１０２Ａと後側天井パネル１０２Ｂとは、各々表面は薄いステンレス板や鋼板等の内装板１１０及び外装板１１１で形成されている。この一対の内装板１１０及び外装板１１１間の空間の周縁端部は、硬質塩化ビニル製等の樹脂成型品で凸部あるいは凹部を形成した枠材１１２、１１３で閉塞されている。そして、内装板１１０及び外装板１１１、枠材１１２、１１３で閉塞された空間には発泡樹脂１１４が充填されている。また、ネジ板１１５は、短冊状に切断され中央に円形に打ち出し部を有して両側を屈曲形成された厚板鋼板と、打ち出し部の背面に溶接したナットによりナット部１１６とから構成されている。そして、外装板１１１に設けた貫通孔１１８に内方から嵌合されて固定されるものであり、ネジ板１１５の掛け止め部により枠材１１２、１１３の内側凹凸部に係合されている。
【００３４】
また、前側天井パネル１０２Ａと後側天井パネル１０２Ｂとを連結固定する目地調節装置１０４を構成する梁材１２０は、一対の鋼材１２１をボルト１２２とナット１２３によって一体的に連結したものであり、各鋼材１２１はその固定板部１２５（図１２参照）の両端縁から連続形成された立ち上がり部１２１Ａ、１２１Ｂが所定の曲率を伴って略直角に立ち上がったいわゆるリップ溝形鋼１２１を背合わせに連結したものである。梁材１２０の固定板部１２５にはボルト孔１２６が設けられており、固定の際、このボルト孔１２６を介して梁材１２０と各天井パネル１０２Ａ、１０２Ｂに設けられた貫通孔１１８内のナット部１１６にボルト１２７を固定することにより、梁材１２０と各天井パネル１０２Ａ、１０２Ｂを連結固定する。ボルト１２７の固定の際には、梁材１２０とボルト１２７との間に後述の目地調節部材１２８（図１２、図１３参照）と平ワッシャ１２７Ａ（図１２参照）が挿入される。
【００３５】
また、目地調節部材１２８は、梁材１２０を構成するリップ溝形鋼１２１の固定板部１２５の両端に立設する各立ち上がり部１２１Ａ、１２１Ｂに填め込まれて設置されるが、リップ溝形鋼１２１の角が曲率を有しているため、リップ溝形鋼１２１の固定板部１２５までは落ち込まず途中で保持される。この構成によりボルト１２７を締結して固定したとき、リップ溝形鋼１２１の各立ち上がり部１２１Ａ、１２１Ｂからの反発力により目地調節部材１２８の弾性力がスプリングワッシャの役割を果たすこととなり、ボルト１２７の緩み止めの効果を有する。
【００３６】
また、図１２に示すように、目地調節部材１２８の平面部１３０に形成される長孔１２９のリップ溝形鋼１２１の背側の立ち上がり部１２１Ｂに近接する側の一端部と該立ち上がり部１２１Ｂとの距離は、前側天井パネル１０２Ａの外装板１１１の内側に固定されたナット部１１６と該天井パネル１０２Ａの枠材１１３との距離の約１／２倍に形成されている。また、この長孔１２９のリップ溝形鋼１２１の外側の立ち上がり部１２１Ａに近接する側の他端部と該立ち上がり部１２１Ｂとの距離は、前側天井パネル１０２Ａの外装板１１１の内側に固定されたナット部１１６と該天井パネル１０２Ａの枠材１１３との距離の約３／２倍に形成されている。これにより、各リップ溝形鋼１２１、１２１の当接面を形成する各立ち上がり部１２１Ｂ、１２１Ｂが、各枠材１１２、１１３の当接部によって形成される目地１３２の直上に位置するように梁材１２０がボルト１２７で締結固定された場合には、目地調節部材１２８の平面部１３０に形成される長孔１２９の略中央部がナット部１１６に対向している。
また、ボルト孔１２６の直径Ｄ１は、目地調節部材１２８の長孔１２９の両端縁部の前後方向（図１２中、左右方向）の距離Ｌ１にほぼ等しく形成されている。これにより、梁材１２０の各ボルト孔１２６の直径Ｄ１を前側天井パネル１０２Ａの外装板１１１の内側に固定されたナット部１１６と該天井パネル１０２Ａの枠材１１３との距離寸法にほぼ等しく形成でき、ボルト孔１２６を大きく穿設することができ、梁材１２０と各天井パネル１０２Ａ、１０２Ｂの各ナット部１１６との位置合わせを容易に行うことができる。
【００３７】
また、図１３に示すように、目地調節部材１２８の平板部１３０には、上記のように傾斜した長孔１２９が開口されており、その幅はボルト１２７が貫通できる幅に設定されて、長孔１２９全域に渡ってボルト１２７を移動させることでき、これにより目地調節をスムーズに行えるようになっている。また、目地調節部材１２８の梁材１２０に沿った移動方向の一端には、略直角に立ち上がるように折り曲げられた加圧部１３５が構成されている。この加圧部１３５は後述する目地調節の際に、目地調節部材１２８を移動させるための力点になるとともに、この折曲げ部分がリブ効果を有し、目地調節部材１２８の強度を保つ役割を有するものである。
また、この加圧部１３５のリップ溝形鋼１２１の外側の立ち上がり部１２１Ａに隣接する部分には、所定幅寸法で切り欠かれる切欠部１３６が形成されている。これにより、リップ溝形鋼１２１の外側の立ち上がり部１２１Ａが、梁材１２０の中央部に向かって内側に屈曲している場合にも、目地調節部材１２８には切欠部１３６が設けてあるため、内側に屈曲したリップ溝形鋼１２１の立ち上がり部１２１Ａとは干渉することはなく、目地調節時の目地調節部材１２８の移動に支障が生ずることはない。
また、平板部１３０の前側両角部（図１３（Ａ）中、下側両角部）には、各面取り部１３７、１３７が形成されている。これにより、目地調節の際、目地調節部材１２８の移動を滑らかに行うことができる。
【００３８】
次に、各天井パネル１０２Ａ、１０２Ｂの目地調節装置１０４による連結固定の手順について図１４に基づいて説明する。図１４は他の実施形態に係る断熱パネルの目地調節装置１０４による前側天井パネル１０２Ａと後側天井パネル１０２Ｂとの連結固定の手順を示す図で、（Ａ）は各天井パネル１０２Ａ、１０２Ｂの梁材１２０への仮止め状態を示す図、（Ｂ）は各天井パネル１０２Ａ、１０２Ｂを引き寄せながら目地調節を行っている状態を示す図、（Ｃ）は各天井パネル１０２Ａ、１０２Ｂが引き寄せられて目地調節が完了した状態を示す図である。尚、各図１４（Ａ）、（Ｂ）、（Ｃ）の上側の図は目地調節時の要部を示す平面図で、下側の図は目地調節時の要部を示す側断面図である。
【００３９】
図１４（Ａ）に示すように、先ず、各天井パネル１０２Ａ、１０２Ｂの梁材１２０への仮止めは、各天井パネル１０２Ａ、１０２Ｂ間に隙間が空いた状態で梁材１２０と各天井パネル１０２Ａ、１０２Ｂをボルト１２７にて仮止めをする。仮止めの際には各天井パネル１０２Ａ、１０２Ｂ間の目地調節は気にする必要がなく、梁材１２０に設けられたボルト孔１２６の開口も大きく形成されているので、梁材１２０のボルト孔１２６と各天井パネル１０２Ａ、１０２Ｂ内の各ナット部１１６、１１６が嵌合された各貫通孔１１８、１１８との位置合わせは容易であり、更に、目地調節部材１２８の取り付けも目地調節部材１２８を各リップ溝形鋼１２１、１２１の各立ち上がり部１２１Ａ、１２１Ｂに沿って移動させれば、目地調節部材１２８の長孔１２９との位置合わせも容易に行うことができる。また、仮止めした状態では、梁材１２０のボルト孔１２６の開口径の長さだけ梁材１２０に対して各天井パネル１０２Ａ、１０２Ｂを移動させることができ、目地調節のための余裕となる。
【００４０】
次に、図１４（Ｂ）に示すように、各天井パネル１０２Ａ、１０２Ｂ間に隙間を空けて梁材１２０に仮止めした状態で、目地調節部材１２８の加圧部１３５をハンマー等で打撃する。これにより、目地調節部材１２８の長孔１２９を貫いて仮止めされているボルト１２７が長孔１２９に沿って梁材１２０の中央側にシフトするため、前側天井パネル１０２Ａは梁材１２０に対して矢印１４１方向に移動し、後側天井パネル１０２Ｂは梁材１２０に対して矢印１４２方向に移動する。従って、各天井パネル１０２Ａ、１０２Ｂは、ハンマーなどで各目地調節部材１２８の各加圧部１３５、１３５を打撃することによって、各ボルト１２７、１２７を介して互いに梁材１２０の中央側に引き寄せられながら目地調節が行われる。また、各リップ溝形鋼１２１、１２１に仮止めされる左右一対の目地調節部材１２８、１２８を均等に打撃しながら、それぞれの天井パネル１０２Ａ、１０２Ｂの前後方向（図１４中、左右方向）のシフト量を調整することができるので、きめ細かい高精度の目地調節をすることができる。
【００４１】
そして、図１４（Ｃ）に示すように、各天井パネル１０２Ａ、１０２Ｂ間の目地位置を確認しながら各加圧部１３５、１３５を打撃していき、最終的に各ボルト１２７、１２７を各長孔１２９、１２９の略中央位置に移動させる。この場合には、各天井パネル１０２Ａ、１０２Ｂの各枠材１１２、１１３が密着して、目地１３２は、梁材１２０の幅方向中心位置のほぼ真下に位置している。また、各ボルト１２７、１２７は、各ボルト孔１２６、１２６のほぼ中心位置に位置している。そして、各ボルト１２７、１２７の本止め（各ボルト１２７、１２７と各ナット部１１６、１１６との締結固定）を行うことにより、各天井パネル１０２Ａ、１０２Ｂは目地調節装置１０４を介して密着して連結固定された状態となる。従って、目地調節部材１２８の長孔１２９とボルト１２７との位置関係を目視により確認しつつ、目地調節を行うことができ、目地調節作業を容易に行うことができる。
【００４２】
次に、予め天井からフック等で吊ってある梁材１２０と、下から組み上げたプレハブ冷蔵庫１０１の各天井パネル１０２Ａ、１０２Ｂとの間に位置ズレが生じた場合について図１５に基づいて説明する。図１５は他の実施形態に係る断熱パネルの目地調節装置１０４によって、梁材１２０と、下から組み上げたプレハブ冷蔵庫１０１の各天井パネル１０２Ａ、１０２Ｂとの間に位置ズレが生じた場合の連結固定状態を示す図で、（Ａ）は要部を示す平面図、（Ｂ）は要部を示す側断面図である。
【００４３】
図１５に示すように、天井からフック１４５や吊りボルト１４６等によって吊られた梁材１２０と、下から組み上げられた各天井パネル１０２Ａ、１０２Ｂとの間に位置ズレがあっても、梁材１２０の各ボルト孔１２６、１２６の開口径は大きいため、各天井パネル１０２Ａ、１０２Ｂ内の各ナット部１１６、１１６が嵌合された各貫通孔１１８  、１１８と位置合わせをすることができる。そして、各目地調節部材１２８、１２８を各リップ溝形鋼１２１、１２１の各立ち上がり部１２１Ａ、１２１Ｂに沿って移動させて、各々の長孔１２９、１２９と各貫通孔１１８、１１８とを位置合わせして各ボルト１２７、１２７を仮止めする。その後、各目地調節部材１２８、１２８の各加圧部１３５、１３５をハンマー等で打撃することにより、各天井パネル１０２Ａ、１０２Ｂは梁材１２０側に各々シフトされ、各天井パネル１０２Ａ、１０２Ｂの各枠材１１２、１１３が密着されて各ボルト１２７、１２７が本止めされ、連結固定される。従って、目地１３２は、梁材１２０の幅方向中心位置から前後方向（図１５中、左右方向）にずれた位置の真下に位置している。これにより、天井からフック１４５や吊りボルト１４６等によって吊られた梁材１２０と、下から組み上げられた各天井パネル１０２Ａ、１０２Ｂとの間に位置ズレがあっても、各ボルト孔１２６、１２６の開口径の範囲内の場合には、梁材１２０の吊り位置を修正することなく各天井パネル１０２Ａ、１０２Ｂを連結固定することができる。
【００４４】
以上詳細に説明した通り、他の実施形態に係る断熱パネルの目地調節装置１０４では、目地調節部材１２８の平面部１３０に形成される長孔１２９のリップ溝形鋼１２１の背側の立ち上がり部１２１Ｂに近接する側の一端部と該立ち上がり部１２１Ｂとの距離は、前側天井パネル１０２Ａの外装板１１１の内側に固定されたナット部１１６と該天井パネル１０２Ａの枠材１１３との距離の約１／２倍に形成されている。また、この長孔１２９のリップ溝形鋼１２１の外側の立ち上がり部１２１Ａに近接する側の他端部と該立ち上がり部１２１Ｂとの距離は、前側天井パネル１０２Ａの外装板１１１の内側に固定されたナット部１１６と該天井パネル１０２Ａの枠材１１３との距離の約３／２倍に形成されている。また、ボルト孔１２６の直径Ｄ１は、目地調節部材１２８の長孔１２９の両端縁部の前後方向の距離Ｌ１にほぼ等しく形成されている。
そして、各天井パネル１０２Ａ、１０２Ｂの連結固定の手順は、先ず、梁材１２０の各ボルト孔１２６、１２６と、各天井パネル１０２Ａ、１０２Ｂ内の各ナット部１１６、１１６が嵌合された各貫通孔１１８  、１１８との位置合わせをする。そして、各目地調節部材１２８、１２８を各リップ溝形鋼１２１、１２１の各立ち上がり部１２１Ａ、１２１Ｂに沿って移動させて、各々の長孔１２９、１２９と各貫通孔１１８、１１８とお位置を合わせ、各ボルト１２７、１２７を仮止めする。その後、各目地調節部材１２８、１２８の各加圧部１３５、１３５をハンマー等で打撃して、各天井パネル１０２Ａ、１０２Ｂを梁材１２０側に各々シフトさせ、各天井パネル１０２Ａ、１０２Ｂの各枠材１１２、１１３を密着させ、各ボルト１２７、１２７を本止めする。
【００４５】
したがって、目地調節部材１２８の長孔１２９と梁材１２０の固定板部１２５に形成されたボルト孔１２６とにボルト１２７を挿通して位置決めした状態で固定板部１２５の両端縁の各立ち上がり部１２１Ａ、１２１Ｂ間で目地調節部材１２８を移動させる簡単な作業を行うだけで短時間で且つ確実に各天井パネル１０２Ａ、１０２Ｂ間の目地１３２を調節することが可能となる。
また、梁材１２０の固定板部１２５と各天井パネル１０２Ａ、１０２Ｂとの位置関係は、目地調節部材１２８を枠材１２０に沿って移動させることにより調節されるものであることから、当初において固定板部１２５のボルト孔１２６と外装板１１１のナット部１１６とを厳格に位置決めする必要はない。従って、固定板部１２５に形成されるボルト孔１２６の開口径を大きくすることが可能となり、このようにボルト孔１２６の開口径を大きく形成して挿通されるボルト１２７と外装板１１１のナット部１１６との位置合わせを容易に行うことができる。
また、目地調節部材１２８の平板部１３０の幅は、梁材１２０の固定板部１２５の幅と略同一幅に形成されていることから、ボルト１２７をナット部１１６に締結固定した後に各天井パネル１０２Ａ、１０２Ｂや梁材１２０に衝撃が加えられたとしても、目地調節部材１２８が各立ち上がり部１２１Ａ、１２１Ｂ間で移動されることはない。従って、目地調節部材１２８を介して一旦調節された各天井パネル１０２Ａ、１０２Ｂ間の目地１３２が拡大されることを確実に防止することができる。
また、目地調節部材１２８の平板部１３０の一側端に上方に折曲された加圧部１３５が形成されており、かかる加圧部１３５をハンマ等を介して叩打することにより目地調節部材１２８を各立ち上がり部１２１Ａ、１２１Ｂ間で枠材１２０に沿って移動させることが可能となる。また、加圧部１３５は枠材１２０に最も近接する長孔１２９の一端部における平板部１３０の一側端に形成されていることから、加圧部１３５を叩打することによりボルト１２７が長孔１２９の傾斜に沿って梁材１２０側に向かって移動し、これに基づきナット部１１６を介してボルト１２７が位置決めされている各天井パネル１０２Ａ、１０２Ｂが梁材１２０側に向かって移動して、各天井パネル１０２Ａ、１０２Ｂ間の目地１３２が調節される。更に、平板部１３０に形成された加圧部１３５は、その折曲部においてリブ効果を発現し、これにより目地調節部材１２８の強度を向上することができる。
また、枠材１２０の外側の立ち上がり部１２１Ａに対応して、加圧部１３５に切欠部１３６が形成されているので、外側の立ち上がり部１２１Ａの加工状態に左右されることなく、例えば、外側の立ち上がり部１２１Ａが枠材１２０側に曲がっている場合においても、目地調節部材１２８の移動が外側の立ち上がり部１２１Ａによって阻害されることはない。これにより、固定板部１２５の各立ち上がり部１２１Ａ、１２１Ｂ間で目地調節部材１２８を常時スムーズに移動させることが可能となる。
また、天井からフック１４５や吊りボルト１４６等によって吊られた梁材１２０と、下から組み上げられた各天井パネル１０２Ａ、１０２Ｂとの間に位置ズレがあっても、各ボルト孔１２６、１２６の開口径の範囲内の場合には、梁材１２０の吊り位置を修正することなく各天井パネル１０２Ａ、１０２Ｂを連結固定することができる。
更に、各天井パネル１０２Ａ、１０２Ｂ間の連結の際にパネル間の目地調節を容易に行うことができる断熱パネルの目地調節装置１０４によってプレハブ冷蔵庫１０１が組み立てられるため、プレハブ冷蔵庫１０１の組み立て作業効率の向上及び納期の短縮化を図ることができる。
【００４６】
尚、本発明は前記各実施形態に限定されるものではなく、本発明の趣旨を逸脱しない範囲内で種々の改良、変形が可能であることは言うまでもない。例えば、前記各実施形態においては、各梁材１、１２０に各々リップ溝形鋼１０、１２１を使用しているが、この他にも、本発明に係る各目地調節部材９、１２８を使用した断熱パネル目地調節機構を実現できる類似形状であれば利用可能である。また、材質についてもステンレス材や鋼材に限らず、アルミの押し出し成型品などでもよい。
【００４７】
【発明の効果】
以上説明したとおり、請求項１に係る断熱パネルの目地調節装置では、各断熱パネルの枠材相互が対向した状態で、前記目地調節部材における平板部の長孔及び前記梁材の固定板部における固定板部のボルト孔にボルトを挿通してボルトを前記ナット部に位置決めし、各立ち上がり部間で枠材に沿って平板部を移動させることにより長孔の傾斜に対応して各断熱パネル間の目地が調節される。
このとき、目地調節部材の平板部は梁材の固定板部の幅と略同一幅を有しており、固定板部の両端縁に形成された各立ち上がり部の間で枠材に沿って目地調節部材の平板部を移動させると、ナット部に位置決めされたボルトは平板部の移動に基づき長孔の傾斜に沿って移動することとなり、これにより各断熱パネルの枠材の端面は相互に近接して密着される。この結果、各断熱パネル間の目地が調節されるものである。
このように、平板部の長孔と梁材の固定板部に形成されたボルト孔とにボルトを挿通して位置決めした状態で固定板部の両端縁の立ち上がり部間で目地調節部材を移動させる簡単な作業を行うだけで短時間で且つ確実に断熱パネル間の目地を調節することが可能な断熱パネルの目地調節装置を提供することができる。
また、梁材の固定板部と断熱パネルとの位置関係は、目地調節部材の平板部を枠材に沿って移動させることにより調節されるものであることから、当初において固定板部のボルト孔と外装板のナット部とを厳格に位置決めする必要はない。従って、固定板部に形成されるボルト孔の開口径を大きくすることが可能となり、このようにボルト孔の開口径を大きく形成してボルト孔に挿通されるボルトと外装板のナット部との位置合わせを容易に行うことができる断熱パネルの目地調節装置を提供することができる。
更に、目地調節部材の平板部の幅は、梁材の固定板部の幅と略同一幅に形成されており、立ち上がり部は、前記梁材の固定板部の両端縁から曲率を有して連続形成され、目地調節部材の平板部を、前記梁材の固定板部にまでは落ち込ませず途中で保持するので、ボルトをナット部に締結固定した後に断熱パネルや梁材に衝撃が加えられたとしても、ボルトが緩んでしまうこともなく、目地調節部材が各立ち上がり部間で移動されることもない。従って、目地調節部材を介して一旦調節された断熱パネル間の目地が拡大されることを確実に防止することが可能な断熱パネルの目地調節装置を提供することができる。
【００４８】
また、請求項２に係る断熱パネルの目地調節装置では、請求項１記載の断熱パネルの目地調節装置において、目地調節部材の平板部の一側端に上方に折曲された加圧部が形成されており、かかる加圧部をハンマ等を介して叩打することにより平板部を各立ち上がり部間で枠材に沿って移動させることが可能な断熱パネルの目地調節装置を提供することができる。また、加圧部は平板部の一側端で、平板部の幅全体に渡って大きく形成されており、平板部は梁材の固定板部の各立ち上がり部間に配置されてハンマ等による叩打を阻害するものは存在しないので、ハンマ等により加圧部を確実に叩打して平板部を簡単に移動させることが可能な断熱パネルの目地調節装置を提供することができる。また、加圧部は枠材に最も近接する長孔の一端部における平板部の一側端に形成されていることから、加圧部を叩打することによりボルトが長孔の傾斜に沿って梁材側に向かって移動し、これに基づきナット部を介してボルトが位置決めされている断熱パネルが梁材側に向かって移動するため、各断熱パネル間の目地を容易に調節できる断熱パネルの目地調節装置を提供することができる。更に、平板部に形成された加圧部は、その折曲部においてリブ効果を発現するため、目地調節部材の強度を向上することが可能な断熱パネルの目地調節装置を提供することができる。
【００４９】
また、請求項３に係る断熱パネルの目地調節装置では、請求項２記載の断熱パネルの目地調節装置において、枠材から離間する側の一方の立ち上がり部、即ち、外側の立ち上がり部に対応して、加圧部に切欠部が形成されているので、外側の立ち上がり部の加工状態に左右されることなく、例えば、外側の立ち上がり部が枠材側に曲がっている場合においても、平板部の移動が外側の立ち上がり部によって阻害されることはない。これより、固定板部の各立ち上がり部間で平板部を常時スムーズに移動させることが可能な断熱パネルの目地調節装置を提供することができる。
【００５０】
また、請求項４に係る断熱パネルの目地調節装置では、請求項１乃至請求項３のいずれかに記載の断熱パネルの目地調節装置において、梁材に最も近接する長孔の一端部と他方の立ち上がり部との距離が、外装板の内側に固定されたナット部と他方の立ち上がり部との距離と略一致していることから、平板部を移動させて長孔に沿ってボルトを長孔の一端部まで移動させた時点で各断熱パネルの枠材が相互に密着した状態になる。これにより、断熱パネル間の目地調節が完了したことを目視という簡単な確認方法により確実に確認でき、作業を容易に行うことができる断熱パネルの目地調節装置を提供することができる。
【００５１】
また、請求項５に係る断熱パネルの目地調節装置では、請求項１乃至請求項３のいずれかに記載の断熱パネルの目地調節装置において、前記長孔の枠材に最も近接する一端部と前記固定板部の枠材に近接する立ち上がり部との距離は、前記ナット部と外装板の枠材側周端縁部との距離よりも小さくなるように形成されている。
これにより、断熱パネルの枠材が、固定板部の枠材に近接する立ち上がり部よりも他方の断熱パネルに近づく方向側にズレた位置にある場合でも、このズレ量が、ナット部と外装板の枠材側周端縁部との距離から、目地調節部材の長孔の枠材に最も近接する一端部と前記固定板部の枠材に近接する立ち上がり部との距離を引いた寸法以下の場合には、目地調節部材の長孔とナット部とを位置決めして、ボルトを挿通することができるため、平板部を移動させて長孔に沿ってボルトを移動させて各断熱パネルの枠材を相互に密着した状態にできる。したがって、梁材を断熱パネルの枠材側に移動させることなく目地調節部材の長孔とナット部とを位置決めできるため、各断熱パネルの目地を迅速且つ容易に調節することができる断熱パネルの目地調節装置を提供することができる。
【００５２】
また、請求項６に係る断熱パネルの目地調節装置では、請求項５に記載の断熱パネルの目地調節装置において、前記長孔の枠材から最も離間する他端部と前記固定板部の枠材に近接する立ち上がり部との距離は、前記ナット部と外装板の枠材側周端縁部との距離よりも大きなるように形成されている。
これにより、断熱パネルの枠材が、固定板部の枠材に近接する立ち上がり部よりも他方の断熱パネルから離れる方向側にズレた位置にある場合でも、このズレ量が、目地調節部材の長孔の枠材から最も離間する他端部と前記固定板部の枠材に近接する立ち上がり部との距離から、ナット部と外装板の枠材側周端縁部との距離を引いた寸法以下の場合には、ボルトを挿通することができるため、平板部を移動させて長孔に沿ってボルトを移動させて各断熱パネルの枠材を相互に密着した状態にできる。従って、梁材を断熱パネルの枠材側に移動させることなく目地調節部材の長孔とナット部とを位置決めできるため、各断熱パネルの目地を迅速且つ容易に調節することができる断熱パネルの目地調節装置を提供することができる。
【００５３】
更に、請求項７に係る断熱パネルの目地調節装置では、請求項１乃至請求項６のいずれかに記載の断熱パネルの目地調節装置において、目地調節部材の平板部に形成される長孔の内側には段付き加工が施されている。
これにより、梁材における固定板部両端の各立ち上がり部間で平板部を移動させる際に、ボルトを長孔内で段階的に移動させることが可能となり、各断熱パネル間の目地調節を全ての段階において調節位置を逆戻りさせることなく確実に行うことができる断熱パネルの目地調節装置を提供することができる。
【図面の簡単な説明】
【図１】  本実施形態の断熱パネルの目地調節装置を使用したプレハブ冷蔵庫の斜視図である。
【図２】  プレハブ冷蔵庫の天井を構成する断熱パネルを本実施形態に係る断熱パネルの目地調節装置により連結した連結部分を拡大した断面図である。
【図３】  図２における連結部分を上から見た平面図であり、便宜のため梁材上部の形状は省略されているものである。
【図４】  本実施形態に係る断熱パネルの目地調節装置を構成する目地調節部材の斜視図である。
【図５】  本実施形態に係る断熱パネルの目地調節装置による断熱パネルを連結固定し、目地調節をする手順を表す平面図及び断面図である。
【図６】  本実施形態の第１変形例である連続打ち抜き加工によって長孔側面に段付けを施した目地調節部材の斜視図である。
【図７】  本実施形態の第２変形例である加圧部の一部に切り欠き部を設けた目地調節部材の斜視図である。
【図８】  図７の目地調節部材を断熱パネルの連結部分に設置した状態を表す拡大した断面図である。
【図９】  本実施形態の第３変形例である切り欠き部と平板部端の面取り部を設けた目地調節部材の斜視図である。
【図１０】  他の実施形態に係る断熱パネルの目地調節装置を使用したプレハブ冷蔵庫の斜視図である。
【図１１】  他の実施形態に係る断熱パネルの目地調節装置の連結部分を示す要部拡大側断面図である。
【図１２】  他の実施形態に係る断熱パネルの目地調節装置の連結部分を示す要部拡大水平断面図である。
【図１３】  他の実施形態に係る断熱パネルの目地調節装置を構成する目地調節部材を示す図で、（Ａ）は平面図、（Ｂ）は正面図である。
【図１４】  他の実施形態に係る断熱パネルの目地調節装置による前側天井パネルと後側天井パネルとの連結固定の手順を示す図で、（Ａ）は各天井パネルの梁材への仮止め状態を示す図、（Ｂ）は各天井パネルを引き寄せながら目地調節を行っている状態を示す図、（Ｃ）は各天井パネルが引き寄せられて目地調節が完了した状態を示す図である。
【図１５】  他の実施形態に係る断熱パネルの目地調節装置によって、梁材と、下から組み上げたプレハブ冷蔵庫の各天井パネルとの間に位置ズレが生じた場合の連結固定状態を示す図で、（Ａ）は要部を示す平面図、（Ｂ）は要部を示す側断面図である。
【符号の説明】
１、１２０                                梁材
４、１１０                                内装板
８、１１１                                外装板
５、１１５                                ネジ板
５ａ、１１６                              ナット部
６、１２７                                ボルト
９、９１、９２、９３、１２８              目地調節部材、
９ａ、９１ａ、９２ａ、９３ａ、１３５      加圧部
９２ｃ、９３ｃ、１３６                    切り欠き部
９ｂ、９１ｂ、９２ｂ、９３ｂ、１２９      長孔
１０、１２１                              リップ溝形鋼
１０ａ、１０ｂ、１２１Ａ、１２１Ｂ        立ち上がり部
１０ｃ、１２５                            固定板部
１２、１１４                              発泡樹脂
１４、１５、１１２、１１３                枠材
１６、１２６                              ボルト孔
２１、１０１                              プレハブ冷蔵庫
２２、１０２                              断熱パネル
９３ｄ                                    面取り部
１０２Ａ                                  前側天井パネル
１０２Ｂ                                  後側天井パネル
【図１】
0003768098.tif 000002
【図２】
0003768098.tif 000003
【図３】
0003768098.tif 000004
【図４】
0003768098.tif 000005
【図５】
0003768098.tif 000006
【図６】
0003768098.tif 000007
【図７】
0003768098.tif 000008
【図８】
0003768098.tif 000009
【図９】
0003768098.tif 000010
【図１０】
0003768098.tif 000011
【図１１】
0003768098.tif 000012
【図１２】
0003768098.tif 000013
【図１３】
0003768098.tif 000014
【図１４】
0003768098.tif 000015
【図１５】
0003768098.tif 000016